(57)【要約】      （修正有）【課題】交通信号灯器に設けた、防犯カメラなどの外部装置駆動用の電源装置を提供する。【解決手段】電源装置１４は、交通信号制御機３から交通信号灯器の灯火４、５を点灯するための電源を供給するための電源線部に接続された入力部１８と、入力部１８に接続された、外部装置６の電源入力部６ａが接続される電源出力部１５とよりなる。また、電源線部から充電すると共に、必要に応じて、充電された電源を上記電源出力部１５に供給するためのバッテリー部２１を更に設けた。【選択図】図２
0003215296.tif 000002
【実用新案登録請求の範囲】
【請求項１】
交通信号制御機から交通信号灯器の灯火を点灯するための電源を供給するための電源線部に接続された入力部と、
上記入力部に接続された、外部装置の電源入力部が接続される電源出力部とよりなることを特徴とする交通信号灯器に設けた外部装置駆動用の電源装置。
【請求項２】
上記電源線部から充電すると共に、必要に応じて、該充電された電源を上記電源出力部に供給するためのバッテリー部を更に設けたことを特徴とする請求項１に記載の交通信号灯器に設けた外部装置駆動用の電源装置。
【請求項３】
上記入力部からの電源形式を、所望の電源形式に変換する電源変換部を更に有することを特徴とする請求項１または２に記載の交通信号灯器に設けた外部装置駆動用の電源装置。
【請求項４】
交通信号制御機から歩行者灯器の青灯及び赤灯にそれぞれ電源を供給するための青灯電源線部と赤灯電源線部とに接続される入力部と、
上記入力部に接続された、外部装置の電源入力部が接続される電源出力部とよりなることを特徴とする交通信号灯器に設けた外部装置駆動用の電源装置。
【請求項５】
交通信号制御機から車両灯器の青灯及び赤灯にそれぞれ電源を供給するための青灯電源線部と赤灯電源線部とに接続される入力部と、
上記入力部に接続された、外部装置の電源入力部が接続される電源出力部とよりなることを特徴とする交通信号灯器に設けた外部装置駆動用の電源装置。
【請求項６】
上記電源線部から充電すると共に、必要に応じて、該充電された電源を上記電源出力部に供給するためのバッテリー部を更に設けたことを特徴とする請求項４または５に記載の交通信号灯器に設けた外部装置駆動用の電源装置。
【請求項７】
交通信号制御機から歩行者灯器の青灯及び赤灯にそれぞれ交流電源を供給するための青灯電源線部と赤灯電源線部とに接続される入力部と、
該入力部からの交流電源を直流電源に変換する、上記入力部に接続されたＡＣ／ＤＣ変換部と、
該ＡＣ／ＤＣ変換部に接続された、外部装置の電源入力部が接続される電源出力部とよりなることを特徴とする交通信号灯器に設けた外部装置駆動用の電源装置。
【請求項８】
交通信号制御機から車両灯器の青灯及び赤灯にそれぞれ交流電源を供給するための青灯電源線部と赤灯電源線部とに接続される入力部と、
該入力部からの交流電源を直流電源に変換する、上記入力部に接続されたＡＣ／ＤＣ変換部と、
該ＡＣ／ＤＣ変換部に接続された、外部装置の電源入力部が接続される電源出力部とよりなることを特徴とする交通信号灯器に設けた外部装置駆動用の電源装置。
【請求項９】
上記ＡＣ／ＤＣ変換部から充電すると共に、必要に応じて、該充電された電源を上記電源出力部に供給するためのバッテリーを更に設けたことを特徴とする請求項７または８に記載の交通信号灯器に設けた外部装置駆動用の電源装置。
【請求項１０】
上記入力部に接続されたＡＣ／ＤＣ変換器は、一方のＡＣ／ＤＣ変換器と他方のＡＣ／ＤＣ変換器とよりなり、上記一方のＡＣ／ＤＣ変換器は、上記電源出力部に接続され、
他方のＡＣ／ＤＣ変換器は、上記バッテリー部に接続されたことを特徴とする請求項９に記載の交通信号灯器に設けた外部装置駆動用の電源装置。
【請求項１１】
交通信号制御機から歩行者灯器の青灯及び赤灯にそれぞれ交流電源を供給するための青灯電源線部と赤灯電源線部とに接続される入力部と、
該入力部からの交流電源を直流電源に変換するＡＣ／ＤＣ変換部と、
該ＡＣ／ＤＣ変換部に接続された、該変換されたＡＣ／ＤＣ変換部からの電源を、所望の直流電源に変換するＤＣ／ＤＣ変換部と、
該ＤＣ／ＤＣ変換部に接続された、外部装置の電源入力部が接続される電源出力部とよりなることを特徴とする交通信号灯器に設けた外部装置駆動用の電源装置。
【請求項１２】
交通信号制御機から車両灯器の青灯及び赤灯に、該青灯及び赤灯にそれぞれ交流電源を供給するための青灯電源線部と赤灯電源線部とに接続される入力部と、
該入力部からの交流電源を直流電源に変換するＡＣ／ＤＣ変換部と、
該ＡＣ／ＤＣ変換部に接続された、該変換されたＡＣ／ＤＣ変換部からの電源を、所望の直流電源に変換するＤＣ／ＤＣ変換部と、
該ＤＣ／ＤＣ変換部に接続された、外部装置の電源入力部が接続される電源出力部とよりなることを特徴とする交通信号灯器に設けた外部装置駆動用の電源装置。
【請求項１３】
上記ＡＣ／ＤＣ変換部から充電すると共に、必要に応じて、充電された電源を上記ＤＣ／ＤＣ変換部に供給するためのバッテリーを更に設けたことを特徴とする請求項１１または１２に記載の交通信号灯器に設けた外部装置駆動用の電源装置。
【請求項１４】
上記入力部に接続されたＡＣ／ＤＣ変換器は、一方のＡＣ／ＤＣ変換器と他方のＡＣ／ＤＣ変換器とよりなり、上記一方のＡＣ／ＤＣ変換器は、上記ＤＣ／ＤＣ変換部に接続され、
他方のＡＣ／ＤＣ変換器は、上記バッテリー部に接続されたことを特徴とする請求項１３に記載の交通信号灯器に設けた外部装置駆動用の電源装置。
【請求項１５】
上記入力部は、上記青灯電源線部と上記赤灯電源線部のうち、電源が供給された電源線部に接続されるリレー部を有することを特徴とする請求項４乃至１４のいずれか１に記載の交通信号灯器に設けた外部装置駆動用の電源装置。
【請求項１６】
上記リレー部は機械式であることを特徴とする請求項１５に記載の交通信号灯器に設けた外部装置駆動用の電源装置。
【請求項１７】
上記請求項１乃至１６に記載の電源装置は、上記交通信号灯器又は歩行者灯器又は車両灯器の筐体内に設けられていることを特徴とする交通信号灯器に設けた外部装置駆動用の電源装置。
【請求項１８】
上記外部装置は、防犯カメラであることを特徴とする請求項１乃至１７のいずれか１に記載の交通信号灯器に設けた外部装置駆動用の電源装置。
【考案の詳細な説明】
【技術分野】
【０００１】
本考案は、例えば、歩行者灯器や車両灯器などの交通信号灯器に設けた、例えば、防犯カメラなどの外部装置の駆動用（作動用）の電源装置に関するものである。
【背景技術】
【０００２】
パレードやマラソンなどのイベント等での犯罪抑止や事件発生時の捜査に、野外に設置した防犯カメラが役に立っている。しかしながら、十分な数が設置されているわけでないため、イベント時には、臨時に多数の可搬形のカメラを野外に設置するようにしている。
【０００３】
この防犯カメラの設置の際に支障となるのが、防犯カメラの駆動用（作動用）の電源の確保であり、商用電源を引く場合には、電力会社へ設置・撤去の申請が必要で手間と時間がかかる。
【０００４】
このため、従来においては、アタッシュケース等に収めたバッテリーで電源確保をおこなっていた。
【考案の概要】
【考案が解決しようとする課題】
【０００５】
しかしながら、バッテリーの容量により動作時間が限定されるので、短時間で多数の防犯カメラを設置する必要があった。また、バッテリーを収めたアタッシュケースを路上におくため、不審物と間違われる場合があった。また、通行の支障にならないように養生が必要な場合があるなど不都合があった。
【０００６】
本考案は、防犯カメラなどの外部装置を、例えば、歩行者灯器や車両灯器などの交通信号灯器の支持支柱に設置すると共に、上記外部装置の駆動用の電源装置を、該交通信号灯器内に設けることにより、上記欠点を除くようにしたものである。
【課題を解決するための手段】
【０００７】
本考案の交通信号灯器に設けた外部装置駆動用の電源装置は、交通信号制御機から交通信号灯器の灯火を点灯するための電源を供給するための電源線部に接続された入力部と、上記入力部に接続された、外部装置の電源入力部が接続される電源出力部とよりなることを特徴とする。
【０００８】
また、上記電源線部から充電すると共に、必要に応じて、該充電された電源を上記電源出力部に供給するためのバッテリー部を更に設けたことを特徴とする。
【０００９】
また、上記入力部からの電源形式を、所望の電源形式に変換する電源変換部を更に有することを特徴とする。
【００１０】
また、交通信号灯器に設けた外部装置駆動用の電源装置は、交通信号制御機から歩行者灯器又は車両灯器の青灯及び赤灯にそれぞれ電源を供給するための青灯電源線部と赤灯電源線部とに接続される入力部と、上記入力部に接続された、外部装置の電源入力部が接続される電源出力部とよりなることを特徴とする。
【００１１】
また、上記電源線部から充電すると共に、必要に応じて、該充電された電源を上記電源出力部に供給するためのバッテリー部を更に設けたことを特徴とする
【００１２】
また、交通信号灯器に設けた外部装置駆動用の電源装置は、交通信号制御機から歩行者灯器又は車両灯器の青灯及び赤灯にそれぞれ交流電源を供給するための青灯電源線部と赤灯電源線部とに接続される入力部と、該入力部からの交流電源を直流電源に変換する、上記入力部に接続されたＡＣ／ＤＣ変換部と、該ＡＣ／ＤＣ変換部に接続された、外部装置の電源入力部が接続される電源出力部とよりなることを特徴とする。
【００１３】
また、上記ＡＣ／ＤＣ変換部から充電すると共に、必要に応じて、該充電された電源を上記電源出力部に供給するためのバッテリーを更に設けたことを特徴とする。
【００１４】
また、上記入力部に接続されたＡＣ／ＤＣ変換器は、一方のＡＣ／ＤＣ変換器と他方のＡＣ／ＤＣ変換器とよりなり、上記一方のＡＣ／ＤＣ変換器は、上記電源出力部に接続され、他方のＡＣ／ＤＣ変換器は、上記バッテリー部に接続されたことを特徴とする。
【００１５】
また、交通信号灯器に設けた外部装置駆動用の電源装置は、交通信号制御機から歩行者灯器又は車両灯器の青灯及び赤灯にそれぞれ交流電源を供給するための青灯電源線部と赤灯電源線部とに接続される入力部と、該入力部からの交流電源を直流電源に変換するＡＣ／ＤＣ変換部と、該ＡＣ／ＤＣ変換部に接続された、該変換されたＡＣ／ＤＣ変換部からの電源を、所望の直流電源に変換するＤＣ／ＤＣ変換部と、該ＤＣ／ＤＣ変換部に接続された、外部装置の電源入力部が接続される電源出力部とよりなることを特徴とする。
【００１６】
また、上記ＡＣ／ＤＣ変換部から充電すると共に、必要に応じて、充電された電源を上記ＤＣ／ＤＣ変換部に供給するためのバッテリーを更に設けたことを特徴とする。
【００１７】
また、上記入力部に接続されたＡＣ／ＤＣ変換器は、一方のＡＣ／ＤＣ変換器と他方のＡＣ／ＤＣ変換器とよりなり、上記一方のＡＣ／ＤＣ変換器は、上記ＤＣ／ＤＣ変換部に接続され、  他方のＡＣ／ＤＣ変換器は、上記バッテリー部に接続されたことを特徴とする。
【００１８】
また、上記入力部は、上記青灯電源線部と上記赤灯電源線部のうち、電源が供給された電源線部に接続されるリレー部を有することを特徴とする。
【００１９】
また、上記リレー部は機械式であることを特徴とする。
【００２０】
また、上記電源装置は、上記交通信号灯器又は歩行者灯器又は車両灯器の筐体内に設けられていることを特徴とする。
【００２１】
また、上記外部装置は、防犯カメラであることを特徴とする。
【考案の効果】
【００２２】
本考案によれば、赤灯又は青灯が点灯している時は、その電源を利用して、外部装置を駆動（作動）することができ、また、青色点滅時など、電源の供給が停止した場合には、バッテリーを用いて、外部装置を駆動することができ、これにより、外部装置の駆動時間に制限がなく、設置作業などの時間的制約も無くなるようになる。
【図面の簡単な説明】
【００２３】
【図１】本考案の交通信号灯器に設けた外部装置駆動用の電源装置の説明図である。
【図２】本考案の交通信号灯器に設けた外部装置駆動用の電源装置の説明図である。
【図３】本考案の交通信号灯器に設けた外部装置駆動用の電源装置のブロック図である。
【図４】本考案の交通信号灯器に設けた外部装置駆動用の電源装置の他の実施例のブロック図である。
【考案を実施するための形態】
【００２４】
以下図面によって本考案の実施例を説明する。
【実施例１】
【００２５】
図１〜図４は、本考案の交通信号灯器に設けた外部装置駆動用の電源装置の説明図を示す。
【００２６】
図１に示すように、１は、歩行者灯器、２は、該歩行者灯器１の支持支柱、３は、例えば、上記支持支柱２の下部に固定された、上記歩行者灯器１の青灯４と赤灯５の各灯火に電源（電力）をそれぞれ供給して、該青灯４又は赤灯５の灯火を点灯するよう制御する交通信号制御機、６は、上記支持支柱２の上部に固定された防犯カメラなどの外部装置を示す。
【００２７】
また、上記交通信号制御機３と上記青灯４とは、青灯点灯用の青灯電源線部により接続され、また、上記交通信号制御機３と上記赤灯５とは、赤灯点灯用の赤灯電源線部により接続され、例えば、上記青灯電源線部は、図２に示すように、上記青灯４の電源線７と、上記信号制御機３からの青灯点灯用の電源線８と、該電源線７と電源線８とを接続する、上記歩行者灯器１の筐体１ａ内に設けられた接続端子台９の青灯点灯端子部１０とよりなり、また、上記赤灯電源線部は、上記赤灯５の電源線１１と、上記信号制御機３からの赤灯点灯用の電源線１２と、該電源線１１と電源線１２とを接続する、上記接続端子台９の赤灯点灯端子部１３とよりなる。
【００２８】
そして、上記信号制御機３から上記青灯点灯用の電源線８に、例えば、ＡＣ１００Ｖの交流電源が供給されたときに、上記青灯４が点灯し、また、上記信号制御機３から該赤灯点灯用の電源線１２に、例えば、ＡＣ１００Ｖの交流電源が供給されたときに、上記赤灯５が点灯するようになる。
【００２９】
また、上記歩行者灯器１の筐体１ａ内には、上記青灯点灯端子部１０、上記赤灯点灯端子部１３とに接続される電源装置１４が設けられ、該電源装置１４には、防犯カメラなどの外部装置６の電源入力部６ａに接続される電源出力部１５が設けられている。
【００３０】
また、上記電源装置１４は、上記青灯点灯端子部１０に接続された電源線１６と上記赤灯点灯端子部１３に接続された電源線１７とのいずれかに接続する入力部１８と、該入力部１８からの交流電源（交流電流）を、例えばＤＣ１３Ｖなどの所望の直流電源（直流電流）に変換するＡＣ／ＤＣ変換部１９と、上記ＡＣ／ＤＣ変換部１９又は後述するバッテリー部２１からの変動する直流電源（直流電流）を、例えば、ＤＣ１２Ｖなど、上記外部装置の電源に対応した所望の直流電源（直流電流）に変換するＤＣ／ＤＣ変換部２０と、上記ＡＣ／ＤＣ変換部１９と上記ＤＣ／ＤＣ変換部２０とが接続された接続線２５に並列して設けられた、上記ＡＣ／ＤＣ変換部１９の直流電源から充電し、上記ＡＣ／ＤＣ変換部１９からの電源（電力）が途絶えた時に、上記ＤＣ／ＤＣ変換部２０に電源（電力）を供給するバッテリー部２１と、上記ＤＣ／ＤＣ変換部２０に接続された電源出力部１５とよりなる。
【００３１】
また、上記入力部１８は、上記青灯点灯端子部１０に、上記信号制御機３から青灯点灯電源が供給された時には、上記電源線１６の端子部１６ａに接続し、また、上記赤灯点灯端子部１３に、上記信号制御機３からの赤灯点灯電源が供給された時には、上記電源線１７の端子部１７ａに接続するリレー部２２が設けられ、該リレー部２２は、信号機誤作動を防止するために、機械式のリレー部が好ましい。
【００３２】
また、上記バッテリー部２１は、バッテリー充電制御部２３と、バッテリーユニット部２４とよりなり、該バッテリー充電制御部２３は、上記バッテリーユニット部２４の電圧を監視し、所望の電圧以下になったときに、例えば、定電流で、上記バッテリーユニット部２４に充電するように構成され、また、上記バッテリーユニット部２４は、電気を充電し、上記青灯４が点滅するなど、上記ＡＣ／ＤＣ変換器１９から、上記ＤＣ／ＤＣ変換器２０に電源が供給されない場合に、上記ＤＣ／ＤＣ変換器２０に直流電源を供給するように構成される。
【００３３】
なお、図３は、上記電源装置１０のブロック図を示し、ＰＧは、上記青灯点灯端子部１０を構成する一方の端子部を示し、ＰＲは、上記赤灯点灯端子部１３を構成する一方の端子部を示し、ＣＯＭは、上記青灯点灯端子部１０を構成する他方の端子部と上記赤灯端子部１３を構成する他方の端子部とが共通した共通端子部を示す。
【００３４】
本考案は上記のような構成であるから、まず、携帯用の防犯カメラなどの外部装置を、支持支柱３に固定し、そして、該防犯カメラの電源入力部６ａを、上記電源出力部１５に接続する。
【００３５】
そして、歩行者灯器１の青灯４の点灯時には、上記信号制御機３から青灯点灯用の電源線８を介して、上記青灯点灯端子部１０、即ち、ＰＧ−ＣＯＭ間に、例えば、ＡＣ１００Ｖの電源が供給され、上記赤灯点灯端子部１３、即ち、ＰＲ−ＣＯＭ間には、電力が供給されず、また、赤灯４の点灯時には、上記信号制御機３から赤灯点灯用の電源線１２を介して、上記赤灯点灯端子部１３にＡＣ１００Ｖの電源が供給され、上記青灯点灯端子部１０には電源が供給されず、そして、上記入力部１８のリレー部２２は、電力が供給された側の端子部に接続されて、ＡＣ１００Ｖの交流電源を上記ＡＣ／ＤＣ変換器１９に供給するようになる。
【００３６】
そして、上記ＡＣ／ＤＣ変換部１９では、供給された上記ＡＣ１００Ｖの交流電源を、所望の直流電源、例えば、ＤＣ１３Ｖの電源に変換し、上記ＤＣ／ＤＣ変換部２０に供給するようにする。
【００３７】
また、上記バッテリー部２１のバッテリー充電制御部２３は、上記バッテリーユニット部２４の電圧を監視し、所望の電圧以下になった時に、上記ＡＣ／ＤＣ変換部１９からの直流電源により、上記バッテリーユニット部２４に充電を行うようにする。
【００３８】
また、上記バッテリーユニット部２４は、上記青灯４が点滅する時など、上記ＡＣ／ＤＣ変換器１９から上記ＤＣ／ＤＣ変換器２０に電源が停止した時に、上記ＤＣ／ＤＣ変換部２０に電源を供給するようにする。
【００３９】
そして、上記ＤＣ／ＤＣ変換部２０は、上記ＡＣ／ＤＣ変換部１９又はバッテリー部２１からの変動する電圧を所望の電圧値、例えば、ＤＣ１２Ｖに変換し、上記電源出力部１５に供給位するようにする。
【００４０】
以上より、上記電源出力部１５には、常時電源が供給され、上記外部装置６を常時、駆動することができるようになる。
【００４１】
なお、上記ＡＤ／ＤＣ変換部１９やバッテリー部２１から安定した電源を供給でき場合や、外部装置によっては、上記ＤＣ／ＤＣ変換器を省略し、上記ＡＣ／ＤＣ変換器１９及びバッテリー部２１を上記電源出力部１５に接続するようにしてもよい。
【００４２】
また、上記ＡＤ／ＤＣ変換器１９やＤＣ／ＤＣ変換器２０の他に、他の電源変換部により、交流から直流や、電圧の変更など、上記入力部１８からの電源形式を、例えば、上記外部装置６の電源形式に対応した電源形式に変換するようにしてもよい。
【００４３】
なお、図４に示すように、一つのＡＣ／ＤＣ変換器１９を用いる代わりに、二つのＡＣ／ＤＣ変換器１９ａ、１９ｂを用いて、上記入力部１９からの電源を、それぞれ二つのＡＣ／ＤＣ変換器１９ａ、１９ｂに供給するようにし、一方のＡＣ／ＤＣ変換器１９ａからの電源は、上記ＤＣ／ＤＣ変換器２０に供給すると共に、上記他方のＡＣ／ＤＣ変換器１９ｂからの電源は、上記バッテリー部２１に供給するようにしてもよい。
【００４４】
また、歩行者灯器の代わりに、車両灯器に設置するようにしてもよい。かかる場合は、例えば、赤灯を点灯するための電源線部と、青灯を点灯させるための電源線部とを、上記電源装置１４に接続できるようにする。また、青灯と赤灯の他、黄灯など他の灯火に接続するようにしてもよい。
【００４５】
本考案によれば、赤灯又は青灯が点灯しているので、その電源を利用して、外部装置を駆動（作動）することができ、また、該電源を利用してバッテリーを充電させ、また、青色点滅時など、電源の供給が停止した場合には、上記バッテリーを用いて、外部装置を駆動することができ、これにより、外部装置の駆動時間に制限がなく、設置作業などの時間的制約も無くなる。
【００４６】
例えば、防犯カメラＤＣ１２Ｖ、２．０Ａを駆動できる電源装置の消費電力は、１台あたり、５０ＶＡ以下（充電時）であり、電力を供給する灯器出力としては十分余裕がある。
【００４７】
また、上記電源装置１４は、上記歩行者灯器や車両灯器の筐体内に設けられるので、露出するのは、上記外部装置６の電源ケーブルのみとなり、歩行者等に対する養生等が不要となり、歩行者への障害もない。
【００４８】
また、上記ＡＣ／ＤＣ変換部１９や、ＤＣ／ＤＣ変換部２０や、バッテリー部２１の電圧を変更する事で、出力電圧の変更も可能となる。
【符号の説明】
【００４９】
１      歩行者灯器
１ａ    筐体
２      支持支柱
３      交通信号制御機
４      青灯
５      赤灯
６      外部装置
６ａ    電源入力部
７      青灯の電源線
８      青灯点灯用の電源線
９      接続端子台
１０    青灯点灯端子部
１１    赤灯の電源線
１２    赤灯点灯用の電源線
１３    赤灯点灯端子部
１４    電源装置
１５    電源出力部
１６    電源線
１６ａ  端子部
１７    電源線
１７ａ  端子部
１８    入力部
１９    ＡＣ／ＤＣ変換部
１９ａ  一方のＡＣ／ＤＣ変換部
１９ｂ  他方のＡＣ／ＤＣ変換部
２０    ＤＣ／ＤＣ変換部
２１    バッテリー部
２２    リレー部
２３    バッテリー充電制御部
２４    バッテリーユニット部
２５    接続線
【図１】
0003215296.tif 000003
【図２】
0003215296.tif 000004
【図３】
0003215296.tif 000005
【図４】
0003215296.tif 000006